(57)【要約】本発明は、２つのＵＳＦ値および２つのデータブロックを端末に送信する基地局の方法、装置およびコンピュータプログラムを提供する。基地局および端末は無線通信ネットワークに含まれる。２つのＵＳＦ値は、第１のデータブロックおよび第２のデータブロックに亘って送信される。第１のデータブロックおよび２つのＵＳＦ値の第１部分は、第１の変調技術に従って変調され、第２のデータブロックおよび２つのＵＳＦ値の第２部分は第２の変調技術に従って変調される。変調されたデータブロックおよびＵＳＦ部分は端末に送信される。さらにＵＳＦ値およびデータブロックを基地局から受信する端末の方法、装置およびコンピュータプログラムについて説明する。さらに、制御ノードの方法、装置およびコンピュータプログラムについて説明する。
2011512095.tif 000002
【特許請求の範囲】
【請求項１】
基地局（１１０）と端末（１２０）とを含む無線通信ネットワーク（１００）において、同一の端末（１２０）又は異なる端末（１２０，１３０）に送信される第１のデータブロック（３０１）と第２のデータブロック（３０２）とを含む情報データ（３００）を前記端末（１２０）に送信する前記基地局（１１０）の方法であって、
前記第１のデータブロック（３０１）と前記第２のデータブロック（３０２）とに亘って送信される、第１のアップリンク状態フラグ（ＵＳＦ）値（３１０）と第２のＵＳＦ値（３２０）とを取得するステップ（５０２）と、
前記第１のデータブロック（３０１）に関連付けられた第１の変調技術情報を取得するステップ（５０３）と、
取得した前記第１の変調技術情報用に、取得した前記第１及び第２のＵＳＦ値（３１０，３２０）の第１部分と前記第１のデータブロック（３０１）とを符号化するステップ（５０４）と、
取得した前記第１の変調技術情報に従って、符号化した前記第１及び第２のＵＳＦ値（３１０，３２０）の第１部分と前記第１のデータブロック（３０１）とを変調するステップ（５０５）と、
変調した前記第１及び第２のＵＳＦ値（３１０，３２０）の第１部分と前記第１のデータブロック（３０１）とを送信するステップ（５０６）と、
前記第２のデータブロック（３０２）に関連付けられた第２の変調技術情報を取得するステップ（５０７）と、
取得した前記第２の変調技術情報用に、取得した前記第１及び第２のＵＳＦ値（３１０，３２０）の第２部分と前記第２のデータブロック（３０２）とを符号化するステップ（５０８）と、
取得した前記第２の変調技術情報に従って、符号化した前記第１及び第２のＵＳＦ値（３１０，３２０）の第２部分と前記第２のデータブロック（３０２）とを変調するステップ（５０９）と、
変調した前記第１及び第２のＵＳＦ値（３１０，３２０）の第２部分と前記第２のデータブロック（３０２）とを送信するステップ（５１０）と
を含むことを特徴とする方法。
【請求項２】
前記第１のデータブロック（３０１）は、前記第１及び第２のＵＳＦ値（３１０，３２０）の第１部分とともに、送信区間の最初の１０ｍｓの間に送信され、
前記第２のデータブロック（３０２）は、前記第１及び第２のＵＳＦ値（３１０，３２０）の第２部分とともに、送信区間の最初の１０ｍｓに後続する１０ｍｓの間に送信されることを特徴とする請求項１に記載の方法。
【請求項３】
前記第１のデータブロック（３０１）及び前記第２のデータブロック（３０２）の少なくとも一方に関連付けられた前記変調技術情報は、標準シンボル速度のガウシアン最小シフトキーイング（ＧＭＳＫ）、８位相シフトキーイング（８ＰＳＫ）、１６直交振幅変調（１６ＱＡＭ）および３２直交振幅変調（３２ＱＡＭ）、並びに、高シンボル速度の４位相シフトキーイング（ＱＰＳＫ）、１６直交振幅変調（１６ＱＡＭ）および３２直交振幅変調（３２ＱＡＭ）の何れかの変調技術情報であることを特徴とする請求項１又は２に記載の方法。
【請求項４】
前記無線通信ネットワーク（１００）は、さらに、制御ノード（１４０）を含み、
前記第１のデータブロック（３０１）及び前記第２のデータブロック（３０２）の少なくとも一方と、前記第１及び第２のＵＳＦ値（３１０，３２０）と関連付けられた前記変調技術情報は、前記制御ノード（１４０）から取得されることを特徴とする請求項１乃至３の何れか１項に記載の方法。
【請求項５】
前記端末（１２０）が前記第１のデータブロック（３０１）とは異なる変調技術で変調された前記第２のデータブロック（３０２）を受信することを示す確認情報を該端末（１２０）から受信するステップ（５０１）をさらに含むことを特徴とする請求項１乃至４の何れか１項に記載の方法。
【請求項６】
基地局（１１０）と端末（１２０）とを含む無線通信ネットワーク（１００）において、同一の端末（１２０）又は異なる端末（１２０，１３０）に送信される第１のデータブロック（３０１）と第２のデータブロック（３０２）とを含む情報データ（３００）を前記端末（１２０）に送信する前記基地局（１１０）の装置（６００）であって、
前記第１のデータブロック（３０１）と前記第２のデータブロック（３０２）とに亘って送信される、第１のアップリンク状態フラグ（ＵＳＦ）値（３１０）と第２のＵＳＦ値（３２０）とを取得する第１の取得ユニット（６０１）と、
前記第１のデータブロック（３０１）及び前記第２のデータブロック（３０２）の少なくとも一方に関連付けられた変調技術情報を取得する第２の取得ユニット（６０２）と、
取得した前記変調技術情報用に、取得した前記第１及び第２のＵＳＦ値（３１０，３２０）の一部分と、前記第１のデータブロック（３０１）及び前記第２のデータブロック（３０２）の少なくとも一方とを符号化する符号化ユニット（６０３）と、
取得した前記変調技術情報に従って、符号化した前記第１及び第２のＵＳＦ値（３１０，３２０）の一部分と、前記第１のデータブロック（３０１）及び前記第２のデータブロック（３０２）の少なくとも一方とを変調する変調ユニット（６０４）と、
変調した前記第１及び第２のＵＳＦ値（３１０，３２０）の一部分と、変調した前記データブロックとを送信する送信ユニット（６０７）と
を備えることを特徴とする装置。
【請求項７】
基地局（１１０）と端末（１２０）とを含む無線通信ネットワーク（１００）において、同一の端末（１２０）又は異なる端末（１２０，１３０）に送信される第１のデータブロック（３０１）と第２のデータブロック（３０２）とを含む情報データ（３００）を前記端末（１２０）に送信する前記基地局（１１０）の方法を実行するための命令を含む、コンピュータで読み取り可能なコンピュータプログラムであって、
前記第１のデータブロック（３０１）と前記第２のデータブロック（３０２）とに亘って送信される、第１のアップリンク状態フラグ（ＵＳＦ）値（３１０）と第２のＵＳＦ値（３２０）とを取得するステップと、
前記第１のデータブロック（３０１）に関連付けられた第１の変調技術情報を取得するステップと、
取得した前記第１の変調技術情報用に、取得した前記第１及び第２のＵＳＦ値（３１０，３２０）の第１部分と前記第１のデータブロック（３０１）とを符号化するステップと、
取得した前記第１の変調技術情報に従って、符号化した前記第１及び第２のＵＳＦ値（３１０，３２０）の第１部分と前記第１のデータブロック（３０１）とを変調するステップと、
変調した前記第１及び第２のＵＳＦ値（３１０，３２０）の第１部分と前記第１のデータブロック（３０１）とを送信するステップと、
前記第２のデータブロック（３０２）に関連付けられた第２の変調技術情報を取得するステップ（５０７）と、
取得した前記第２の変調技術情報用に、取得した前記第１及び第２のＵＳＦ値（３１０，３２０）の第２部分と前記第２のデータブロック（３０２）とを符号化するステップと、
取得した前記第２の変調技術情報に従って、符号化した前記第１及び第２のＵＳＦ値（３１０，３２０）の第２部分と前記第２のデータブロック（３０２）とを変調するステップと、
変調した前記第１及び第２のＵＳＦ値（３１０，３２０）の第２部分と前記第２のデータブロック（３０２）とを送信するステップと
を含む、前記基地局（１１０）に設けられた処理ユニット（６２０）で実行されることを特徴とするコンピュータプログラム。
【請求項８】
基地局（１１０）と端末（１２０）とを含む無線通信ネットワーク（１００）において、第１のデータブロック（３０１）と第２のデータブロック（３０２）とを含む情報データ（３００）を前記基地局（１１０）から受信する前記端末（１２０）の方法であって、
変調された前記第１及び第２のＵＳＦ値（３１０，３２０）の第１部分と変調された前記第１のデータブロック（３０１）とを前記基地局（１１０）から受信するステップ（７０２）と、
第１の変調技術情報に従って、受信した前記第１及び第２のＵＳＦ値（３１０，３２０）の第１部分と受信した前記第１のデータブロック（３０１）とを復調するステップ（７０３）と、
変調された前記第１及び第２のＵＳＦ値（３１０，３２０）の第２部分と変調された前記第２のデータブロック（３０２）とを前記基地局（１１０）から受信するステップ（７０４）と、
第２の変調技術情報に従って、受信した前記第１及び第２のＵＳＦ値（３１０，３２０）の第２部分と受信した前記第２のデータブロック（３０２）とを復調するステップ（７０５）と、
復調した前記第２のデータブロック（３０２）を復調した前記第１のデータブロック（３０１）に追加することによって、前記情報データ（３００）を抽出するステップ（７０６）と、
抽出した前記情報データ（３００）を復号化するステップ（７０７）と
を含むことを特徴とする方法。
【請求項９】
前記第１のデータブロック（３０１）は、前記第１及び第２のＵＳＦ値（３１０，３２０）の第１部分とともに、受信区間の最初の１０ｍｓの間に受信され、
前記第２のデータブロック（３０２）は、前記第１及び第２のＵＳＦ値（３１０，３２０）の第２部分とともに、受信区間の最初の１０ｍｓに後続する１０ｍｓの間に受信されることを特徴とする請求項８に記載の方法。
【請求項１０】
前記第１のデータブロック（３０１）及び前記第２のデータブロック（３０２）の少なくとも一方に関連付けられた前記変調技術情報は、標準シンボル速度のガウシアン最小シフトキーイング（ＧＭＳＫ）、８位相シフトキーイング（８ＰＳＫ）、１６直交振幅変調（１６ＱＡＭ）および３２直交振幅変調（３２ＱＡＭ）、並びに、高シンボル速度の４位相シフトキーイング（ＱＰＳＫ）、１６直交振幅変調（１６ＱＡＭ）および３２直交振幅変調（３２ＱＡＭ）の何れかの変調技術情報であることを特徴とする請求項８又は９に記載の方法。
【請求項１１】
前記端末（１２０）が前記第１のデータブロック（３０１）とは異なる変調技術で変調された前記第２のデータブロック（３０２）を受信することを示す確認情報を前記基地局（１１０）へ送信するステップ（７０１）をさらに含むことを特徴とする請求項８乃至１０の何れか１項に記載の方法。
【請求項１２】
基地局（１１０）と端末（１２０）とを含む無線通信ネットワーク（１００）において、第１のデータブロック（３０１）と第２のデータブロック（３０２）とを含む情報データ（３００）を前記基地局（１１０）から受信する前記端末（１２０）の装置（８００）であって、
変調された前記第１及び第２のＵＳＦ値（３１０，３２０）の一部分と変調された前記データブロック（３０１，３０２）とを前記基地局（１１０）から受信する受信ユニット（８０１）と、
受信した前記第１及び第２のＵＳＦ値（３１０，３２０）の一部分と受信した前記データブロック（３０１，３０２）とを復調する復調ユニット（８０２）と、
復調した前記データブロック（３０２）を復調した前記データブロック（３０１）に追加することによって、前記情報データ（３００）を抽出する抽出ユニット（８０５）と、
抽出した前記情報データ（３００）を復号化する復号化ユニット（８０６）と
を備えることを特徴とする装置。
【請求項１３】
基地局（１１０）と端末（１２０）とを含む無線通信ネットワーク（１００）において、第１のデータブロック（３０１）と第２のデータブロック（３０２）とを含む情報データ（３００）を前記基地局（１１０）から受信する前記端末（１２０）の方法を実行するための命令を含む、コンピュータで読み取り可能なコンピュータプログラムであって、
変調された前記第１及び第２のＵＳＦ値（３１０，３２０）の第１部分と変調された前記第１のデータブロック（３０１）とを前記基地局（１１０）から受信するステップと、
第１の変調技術情報に従って、受信した前記第１及び第２のＵＳＦ値（３１０，３２０）の第１部分と受信した前記第１のデータブロック（３０１）とを復調するステップと、
変調された前記第１及び第２のＵＳＦ値（３１０，３２０）の第２部分と変調された前記第２のデータブロック（３０２）とを前記基地局（１１０）から受信するステップと、
第２の変調技術情報に従って、受信した前記第１及び第２のＵＳＦ値（３１０，３２０）の第２部分と受信した前記第２のデータブロック（３０２）とを復調するステップと、
復調した前記第２のデータブロック（３０２）を復調した前記第１のデータブロック（３０１）に追加することによって、前記情報データ（３００）を抽出するステップと、
抽出した前記情報データ（３００）を復号化するステップと
を含む、前記端末（１２０）に設けられた処理ユニット（８２０）で実行されることを特徴とするコンピュータプログラム。
【請求項１４】
制御ノード（１４０）と基地局（１１０）と端末（１２０）とを含む無線通信ネットワーク（１００）において、第１のデータブロック（３０１）と第２のデータブロック（３０２）とを含む情報データ（３００）を前記端末（１２０）へ送信する前記基地局（１１０）をサポートする前記制御ノード（１４０）の方法であって、
前記基地局（１１０）から前記端末（１２０）へ送信される、前記第１のデータブロック（３０１）及び前記第２のデータブロック（３０２）の少なくとも一方に関連付けられた変調情報を提供するステップ（９０１）と、
前記基地局（１１０）から前記端末（１２０）へ送信される、前記第１のデータブロック（３０１）及び前記第２のデータブロック（３０２）の少なくとも一方に関連付けられた第１のアップリンク状態フラグ（ＵＳＦ）値（３１０）と第２のＵＳＦ値（３２０）とを提供するステップ（９０２）と
を含むことを特徴とする方法。
【請求項１５】
制御ノード（１４０）と基地局（１１０）と端末（１２０）とを含む無線通信ネットワーク（１００）において、第１のデータブロック（３０１）と第２のデータブロック（３０２）とを含む情報データ（３００）を前記端末（１２０）へ送信する前記基地局（１１０）をサポートする前記制御ノード（１４０）の装置（１０００）であって、
前記基地局（１１０）から前記端末（１２０）へ送信される、前記第１のデータブロック（３０１）及び前記第２のデータブロック（３０２）の少なくとも一方に関連付けられた変調情報を提供する第１の提供ユニット（１００１）と、
前記基地局（１１０）から前記端末（１２０）へ送信される、前記第１のデータブロック（３０１）及び前記第２のデータブロック（３０２）の少なくとも一方に関連付けられた第１のアップリンク状態フラグ（ＵＳＦ）値（３１０）と第２のＵＳＦ値（３２０）とを提供する第２の提供ユニット（１００２）と
を備えることを特徴とする装置。
【請求項１６】
制御ノード（１４０）と基地局（１１０）と端末（１２０）とを含む無線通信ネットワーク（１００）において、第１のデータブロック（３０１）と第２のデータブロック（３０２）とを含む情報データ（３００）を前記端末（１２０）へ送信する前記基地局（１１０）をサポートする前記制御ノード（１４０）の方法実行するための命令を含む、コンピュータで読み取り可能なコンピュータプログラムであって、
前記基地局（１１０）から前記端末（１２０）へ送信される、前記第１のデータブロック（３０１）及び前記第２のデータブロック（３０２）の少なくとも一方に関連付けられた変調情報を提供するステップ（９０１）と、
前記基地局（１１０）から前記端末（１２０）へ送信される、前記第１のデータブロック（３０１）及び前記第２のデータブロック（３０２）の少なくとも一方に関連付けられた第１のアップリンク状態フラグ（ＵＳＦ）値（３１０）と第２のＵＳＦ値（３２０）とを提供するステップ（９０２）と
を含む、前記端末（１４０）に設けられた処理ユニット（１０２０）で実行されることを特徴とするコンピュータプログラム。
【発明の詳細な説明】
【技術分野】
【０００１】
本発明は無線通信ネットワークにおける方法および装置、より詳細には変調分離を回避するための機構に関するものである。
【背景技術】
【０００２】
ＧＳＭエボリューション（ＥＤＧＥ）のための高度化データ速度は第３世代パートナシッププロジェクト（３ＧＰＰ、Third Generation Partnership Project）／移動通信のためのグローバルシステム（ＧＳＭ、Global System for Mobile Telecommunications）／ＥＤＧＥ無線アクセスネットワーク（ＧＥＲＡＮ、GSM/EDGE Radio Access Network）の一部として標準化されている。ＧＥＲＡＮ／ＥＤＧＥエボリューションはＧＥＲＡＮ仕様書リリース７の一部のような新たなパケットの特徴として見ることができよう。当該パッケージの一部はＥＧＰＲＳ２と呼ばれ、アップリンクおよびダウンリンク双方のために高次変調並びに高速シンボル速度を導入する。当該パッケージの別の部分を遅延低減（Reduced Latency）と呼び、時間送信間隔（ＴＴＩ、Time Transmit Interval）を２０ｍｓから１０ｍｓに低減する。低減ＴＴＩ（ＲＴＴＩ，Reduced TTI）と呼ぶことが多い特徴は、リリース７以前のレガシー（Legacy）端末をなおサポートするために、これまでのところダウンリンク伝送に要求を課している。１つのそのような要求は同一変調技術を使用して２つの連続ダウンリンクブロックを伝送するようにする。ブロックは２つの異なる端末を宛先指定することができるが、レガシー端末を次の期間の送信にスケジューリングすることを可能とするために、２つの連続ダウンリンクブロックは、ガウシアン最小シフトキーイング（ＧＭＳＫ、Gaussian Minimum Shift Keying）、８位相シフトキーイング（８ＰＳＫ、8-Phase shift keying）、４位相シフトキーイング（ＱＰＳＫ、Quadrature Phase-Shift Keying）、１６直交振幅変調（１６ＱＡＭ、16-Quadrature Amplitude Modulation）または３２直交振幅変調（３２ＱＡＭ、32-Quadrature Amplitude Modulation）の何れかを用いて送信されるべきである。
【０００３】
この要求の根拠は特定端末が１つまたは複数のアップリンク無線ブロックにアクセスするのを許可するのに使用するアップリンク状態フラグ（ＵＳＦ、Uplink State Flag）と呼ぶダウンリンクパラメータである。ダウンリンクにおいて何を送信しようが、ＵＳＦが端末を指定すれば、レガシー端末並びにＲＴＴＩ端末はＵＳＦを復号できなければならない。
【０００４】
ＲＴＴＩモード、又は、基本送信時間間隔（ＢＴＴＩ、Basic Transmission Time Interval）モード、即ち４つの連続時間分割多元接続（ＴＤＭＡ、Time Division Multiple Access）フレーム上でマッピングする、例えば２０ｍｓのレガシー方法の双方において、ＵＳＦが送信されうる。ＵＳＦを使用値に設定する場合、上記のように同一変調の使用に関する要求はＢＴＴＩＵＳＦモードに対してのみ適用する。ＲＴＴＩＵＳＦモードの場合、２つのブロックにおける任意の変調の組み合わせが許容される。これを図１に示す。図１の左部はレガシー無線ブロックをダウンリンクで送信する場合を示し、右部はＲＴＴＩ無線ブロックを送信する場合を示す。図１の右部に見ることができるように、２つの異なるダウンリンク無線ブロックに亘ってＵＳＦを送信する。既存の技術的解決手法を使用すると、両無線ブロックで１つの、同一変調を使用して、ＵＳＦビットを送信しなければならず、それ故同一変調を使用して、２つの無線ブロックを送信しなければならない。
【発明の概要】
【発明が解決しようとする課題】
【０００５】
既存解決手法に伴う問題は、レガシー端末をサポートすることができることによりダウンリンクスケジューラに要求を課すことである。ダウンリンクスケジューラは２つの連続ブロックで同一変調を使用する必要がある。それにより２つのダウンリンクの何れかまたは両方の変調の選択が最適でなくなることが多い。この問題はよく変調分離と呼ばれている。
【０００６】
本発明の実施形態の目的は無線通信ネットワーク内の性能を改善する機構を提供することである。
【課題を解決するための手段】
【０００７】
第１の態様によれば本目的を達成するのは、情報データを端末に送信する基地局の方法による。基地局および端末は無線通信ネットワーク内に含まれる。情報データは第１のデータブロックおよび第２のデータブロックを含む。第１および第２のデータブロックを同一端末または異なる端末に送信するようにする。本方法が含むのは、第１のデータブロックおよび第２のデータブロックに亘って送信される、第１のＵＳＦ値および第２のＵＳＦ値の取得ステップである。本方法はまた第１のデータブロックに関連付けられた第１の変調技術情報の取得ステップを含む。さらに本方法が含むのは、取得した第１の変調技術情報用に、取得した第１および第２のＵＳＦ値の第１部分並びに第１のデータブロックの符号化ステップである。さらに本方法が含むのは、取得した第１の変調技術情報に従って符号化した第１および第２のＵＳＦ値の第１部分並びに符号化した第１のデータブロックの変調ステップである。また本方法がさらに含むのは、変調した第１および第２のＵＳＦ値の第１部分並びに変調した第１のデータブロックの送信ステップである。さらに本方法は加えて第２のデータブロックに関連付けられた第２の変調技術情報の取得ステップを含む。本方法がさらに追加して含むのは、取得した第２の変調技術情報用に、取得した第１および第２のＵＳＦ値の第２部分並びに第２のデータブロックの符号化ステップである。さらにその上、本方法がまた加えて含むのは、取得した第２の変調技術に従って符号化した第１および第２のＵＳＦ値の第２部分並びに符号化した第２のデータブロックの変調ステップである。なおさらに本方法が含むのは、変調した第１および第２のＵＳＦ値の第２部分並びに変調した第２のデータブロックの送信ステップである。
【０００８】
第２の態様によれば本目的をまた達成するのは、情報データを端末に送信する基地局装置による。基地局および端末は無線通信ネットワーク内に含まれる。情報データは第１のデータブロックおよび第２のデータブロックを含む。第１および第２のデータブロックを同一端末または異なる端末に送信するようにする。本装置は第１の取得ユニットを含む。第１の取得ユニットが取得するようにするのは、第１のデータブロックおよび第２のデータブロックに亘って送信される、第１および第２のＵＳＦ値である。また本装置は第２の取得ユニットを含む。第２の取得ユニットが取得するようにするのは、第１のデータブロックおよび第２のデータブロックの少なくとも一方に関連付けられた変調技術情報である。加えて本装置は符号化ユニットを含む。符号化ユニットが符号化するようにするのは、取得した変調技術情報用に、取得した第１および第２のＵＳＦ値の一部分並びに第１のデータブロックおよび第２のデータブロックの少なくとも一方である。さらにその上本装置はまた変調器ユニットを含む。変調器ユニットが変調するようにするのは、取得した変調技術情報に従って、符号化した第１および第２のＵＳＦ値の一部分並びに第１のデータブロックおよび第２のデータブロックの少なくとも一方である。追加して本装置はさらに送信ユニットを含む。送信ユニットが端末へ送信するようにするのは、変調した第１および第２のＵＳＦ値の一部分並びに変調したデータブロックである。
【０００９】
第３の態様によれば本目的をまた達成するのは、情報データを端末に送信する基地局の方法ステップの実行命令を含むコンピュータプログラムによる。基地局および端末は無線通信ネットワーク内に含まれる。情報データは第１のデータブロックおよび第２のデータブロックを含む。第１および第２のデータブロックを同一端末または異なる端末に送信するようにする。コンピュータプログラムが含むのは、第１のデータブロックおよび第２のデータブロックに亘って送信される、第１および第２のＵＳＦ値の取得命令である。またコンピュータプログラムはさらに第１のデータブロックに関連付けられた第１の変調技術情報の取得命令を含む。さらにコンピュータプログラムがまた追加して含むのは、取得した第１の変調技術情報用に、取得した第１および第２のＵＳＦ値の第１部分並びに第１のデータブロックの符号化命令である。なおさらにコンピュータプログラムがまた含むのは、取得した第１の変調技術情報に従って、符号化した第１および第２のＵＳＦ値の第１部分並びに符号化した第１のデータブロックの変調である。さらに加えてコンピュータプログラムがまた含むのは、変調した第１および第２のＵＳＦ値の第１部分並びに変調した第１のデータブロックの送信である。またコンピュータプログラムはさらに第２のデータブロックに関連付けられた第２の変調技術情報の取得命令を含む。なおさらに加えてコンピュータプログラムがまた含むのは、取得した第２の変調技術情報用に、取得した第１および第２のＵＳＦ値の第２部分並びに取得した第２のデータブロックの符号化である。さらにその上コンピュータプログラムが追加して含むのは、取得した第２の変調技術に従って、符号化した第１および第２のＵＳＦ値の第２部分並びに符号化した第２のデータブロックの変調である。なおさらに加えてコンピュータプログラムが含むのは、変調した第１および第２のＵＳＦ値の第２部分並びに変調した第２のデータブロックの送信命令である。当該コンピュータプログラムは、基地局内に設けられた処理ユニット上で実行される。
【００１０】
第４の態様によれば本目的を達成するのは、基地局から情報データを受信する端末の方法による。基地局および端末は無線通信ネットワーク内に含まれる。情報データは第１のデータブロックおよび第２のデータブロックを含む。本方法が含むのは、変調された第１および第２のＵＳＦ値の第１部分並びに変調された第１のデータブロックの基地局からの受信ステップである。また本方法が含むのは、第１の変調技術情報に従って受信した第１および第２のＵＳＦ値の第１部分並びに受信した第１のデータブロックの復調ステップである。さらに本方法が加えて含むのは、変調された第１および第２のＵＳＦ値の第２部分並びに変調された第２のデータブロックの基地局からの受信ステップである。さらにその上、本方法がまた含むのは、第２の変調技術情報に従って受信した第１および第２のＵＳＦ値の第２部分並びに受信した第２のデータブロックの復調ステップである。追加して本方法がさらにその上含むのは、復調した第１のデータブロックへの復調した第２のデータブロックの追加による情報データの抽出ステップである。なおさらにその上、本方法は加えて抽出情報データの復号化ステップを含む。
【００１１】
第５の態様によれば本目的をまた達成するのは、基地局から情報データを受信する端末の装置による。基地局および端末は無線通信ネットワーク内に含まれる。情報データは第１のデータブロックおよび第２のデータブロックを含む。本装置は受信ユニットを含む。受信ユニットが受信するようにするのは、基地局からの変調された第１のＵＳＦ値および第２のＵＳＦ値の一部分並びに変調されたデータブロックである。さらに本装置は復調ユニットを含む。復調ユニットが復調するようにするのは、受信した第１および第２のＵＳＦ値の一部分並びに受信したデータブロックである。なおさらに加えて本装置は抽出ユニットを含む。抽出ユニットが抽出するようにするのは、復調したデータブロックの別の復調したデータブロックへの追加によって得られる情報データである。また本装置は復号ユニットを含む。復号ユニットは抽出情報データを復号化するようにする。
【００１２】
第６の態様によれば本目的をまた達成するのは、基地局から情報データを受信する端末の方法ステップの実行命令を含むコンピュータプログラムによる。基地局および端末は無線通信ネットワーク内に含まれる。情報データは第１のデータブロックおよび第２のデータブロックを含む。コンピュータプログラムが含むのは、変調された第１のＵＳＦ値および第２のＵＳＦ値の第１部分並びに変調された第１のデータブロックの基地局からの受信命令である。またコンピュータプログラムが含むのは、第１の変調技術情報に従って受信した第１および第２のＵＳＦ値の第１部分並びに受信した第１のデータブロックの復調命令である。加えてコンピュータプログラムが含むのは、変調された第１および第２のＵＳＦ値の第２部分並びに変調された第２のデータブロックの基地局からの受信命令である。なおさらにコンピュータプログラムが含むのは、第２の変調技術情報に従って受信した第１および第２のＵＳＦ値の第２部分並びに受信した第２のデータブロックの復調命令である。追加してコンピュータプログラムが含むのは、復調した第１のデータブロックへの復調した第２のデータブロックの追加によって得られる情報データの抽出命令である。さらにその上コンピュータプログラムがまた含むのは、抽出情報データの復号化命令である。当該コンピュータプログラムは、端末内に設けられた処理ユニット上で実行される。
【００１３】
第７の態様によれば本目的を達成するのは、情報データの端末への送信において基地局をサポートする制御ノードの方法による。制御ノード、基地局および端末は無線通信ネットワーク内に含まれる。情報データは第１のデータブロックおよび第２のデータブロックを含む。本方法が含むのは、基地局から端末に送信される、第１のデータブロックおよび第２のデータブロックの少なくとも一方に関連付けられた変調情報情報の提供ステップである。また本方法がさらに含むのは、基地局から端末に送信される、第１のデータブロックおよび第２のデータブロックの少なくとも一方に関連付けられた第１のＵＳＦ値および第２のＵＳＦ値の提供ステップである。
【００１４】
第８の態様によれば本目的をまた達成するのは、情報データの端末への送信において基地局をサポートする制御ノードの装置による。制御ノード、基地局および端末は無線通信ネットワーク内に含まれる。情報データは第１のデータブロックおよび第２のデータブロックを含む。本装置は第１の提供ユニットを含む。第１の提供ユニットが提供するようにするのは、基地局から端末に送信される、第１のデータブロックおよび第２のデータブロックの少なくとも一方に関連付けられた変調情報である。また本装置がさらに含むのは、基地局から端末に送信される、第１のデータブロックおよび第２のデータブロックの少なくとも一方に関連付けられた第１のＵＳＦ値および第２のＵＳＦ値を提供するようにする第２の提供ユニットである。
【００１５】
第９の態様によれば本目的をまた達成するのは、情報データの端末への送信において基地局をサポートする制御ノードの方法ステップの実行命令を含むコンピュータプログラムによる。制御ノード、基地局および端末は無線通信ネットワーク内に含まれる。情報データは第１のデータブロックおよび第２のデータブロックを含む。コンピュータプログラムが含むのは、基地局から端末に送信される、第１のデータブロックおよび第２のデータブロックの少なくとも一方に関連付けられた変調情報の提供命令である。またコンピュータプログラムが含むのは、基地局から端末に送信される、第１のデータブロックおよび第２のデータブロックの少なくとも一方に関連付けられた第１のＵＳＦ値および第２のＵＳＦ値の提供命令である。当該コンピュータプログラムは、制御ノード内に設けられた処理ユニット上で実行される。
【００１６】
本方法、装置およびコンピュータプログラムにより、各データブロックの送信を開始する場合その瞬間に最も正確な変調技術を使用して、各送信データブロックを変調することが可能である。これを達成するのは、変調分離を招くことなくダウンリンクスケジューラが自由に動作することができるような方法のアップリンクスケジューリングパラメータの修正による。一実施形態において、種々の変調を２つの連続ＲＴＴＩ無線ブロックで使用する。それにより、スペクトラムおよびハードウェア利用率の増加が生じる。これはスペクトラム効率を改善するが、遅延を低減する特徴を導入する場合にもなおレガシー端末のサポートを行う。従って、無線通信ネットワーク内の性能改善をもたらす。
【００１７】
本発明の以下の詳細な説明から、本発明の他の目的、利点および新しい特徴が明らかになろう。
【図面の簡単な説明】
【００１８】
【図１】従来技術によるＵＳＦマッピングを示す概要ブロック図である。
【図２】無線通信ネットワークを示すブロック図である。
【図３】本方法の実施形態によるＵＳＦマッピングを示す概要ブロック図である。
【図４】２つのテーブルを示す図である。テーブル１は現仕様化ＵＳＦコードワードを示す。テーブル２は本方法による混合変調コードワードの一例を示す。
【図５】基地局の方法の実施形態を示す概要フローチャートである。
【図６】基地局装置の実施形態を示すブロック図である。
【図７】端末の方法の実施形態を示す概要フローチャートである。
【図８】端末装置の実施形態を示すブロック図である。
【図９】制御ノードの方法の実施形態を示す概要フローチャートである。
【図１０】制御ノード装置の実施形態を示すブロック図である。
【発明を実施するための形態】
【００１９】
本解決手法を定義するのは、基地局の方法、コンピュータプログラムおよび装置、並びに端末の方法、コンピュータプログラムおよび装置、並びに制御ノードの方法、コンピュータプログラムおよび装置としてであり、これらを以下で説明する実施形態において実現することができる。しかしながら、本解決手法は多くの異なる形式で実施することができ、本明細書に示す実施形態に限定すると解釈すべきでなく；むしろこれらの実施形態を提示するのは、この開示が詳細かつ完全であり、本解決策の範囲を十分に知らせしめるためである。理解すべきは、本方法、コンピュータプログラムおよび／または装置は開示する何れかの特定の形式に制限する意図はなく、逆に本方法、コンピュータプログラムおよび装置が特許請求の範囲により定義するように本解決手法の範囲内に入る全ての修正、等価物並びに代替物を含むことである。
【００２０】
勿論本解決手法の本質的特徴を逸脱することなく本明細書に特に示すものと違う方法で、本解決手法を実行することができる。本実施形態は全ての点で例示的であり、限定的ではないと考えるべきであり、添付する特許請求の範囲の意味し、同等の範囲に入る全ての変更は特許請求の範囲に含むと考えられる。
【００２１】
図２は無線通信ネットワーク１００の一例を示す概要図である。無線通信ネットワーク１００は少なくとも１つの基地局１１０を含み、複数の端末１２０、端末１３０を含む。基地局１１０はセル１５０内に位置する端末１２０、端末１３０へ無線信号を送信することができ、端末１２０、端末１３０からの無線信号を受信することができる。無線通信ネットワーク１００はさらに制御ノード１４０を含む。
【００２２】
ただ１つの基地局１１０のみを図２に示すが、理解すべきは基地局通信機の別の構成が無線通信ネットワーク１００を定義する例えば移動交換センタおよびその他のネットワークノードを接続することができることである。さらに基地局１１０は、例えば使用する無線アクセス技術および用語に応じて、例えばリモート無線ユニット、アクセスポイント、ノードＢ、進展ノードＢ（ｅノードＢ、evolved Node B）および／または基地通信局、アクセスポイント基地局、基地局ルータ、などと称してもよい。
【００２３】
幾つかの実施形態で端末１２０、端末１３０を表すことができるのは、無線通信デバイス、無線通信端末、移動セルラー電話機、パーソナル通信システム端末、移動局（ＭＳ、mobile station）パーソナルディジタルアシスタント（ＰＤＡ、Personal Digital Assistant）、ラップトップ、ユーザ装置（ＵＥ、User Equipment）、コンピュータまたは無線リソース管理のできる任意の他の種類のデバイスであってもよい。
【００２４】
無線通信ネットワーク１００が基づくことができる技術は、幾つかの任意の非限定例を記述すると、例えば移動通信のためのグローバルシステム（ＧＳＭ）、ＧＳＭエボリューションのための高度化データ速度（ＥＤＧＥ、Enhanced Data rates for GSM Evolution）、汎用パケット無線サービス（ＧＰＲＳ、General Packet Radio Service）、符号分割多元接続（ＣＤＭＡ、Code Division Multiple Access）、広帯域符号分割多元接続（ＷＣＤＭＡ、Wideband Code Division Multiple Access）、ＣＤＭＡ２０００、高速ダウンリンクパケットデータアクセス（ＨＳＤＰＡ、High Speed Downlink Packet Data Access）、高速アップリンクパケットデータアクセス（ＨＳＵＰＡ、High Speed Uplink Packet Data Access）、高データ速度（ＨＤＲ、High Data Rate）高速パケットデータアクセス（ＨＳＰＡ、High Speed Packet Data Access）、汎用移動通信システム（ＵＭＴＳ、Universal Mobile Telecommunications System）、などである。
【００２５】
さらに本明細書で使用するように幾つかの実施形態に従い、無線通信ネットワーク１００がさらに関係しうるのは、ワイヤレス・フィディリティー（ＷｉＦｉ、Wireless Fidelity）およびマイクロ波アクセスのための世界相互動作（ＷｉＭａｘ、Worldwide Interoperability for Microwave Access）などの無線ローカルエリアネットワーク（ＷＬＡＮ、Wireless Local \area Networks）、または任意の他の無線通信技術に従うブルートゥースである。
【００２６】
しかしながら留意すべきは、本解決手法を無線通信ネットワーク１００内の無線インタフェースを経て専ら実行するように決して限定せず、幾つかのノードが無線接続し、幾つかのノードが有線接続を有する無線通信ネットワーク１００内において、本解決手法を実行することができることである。
【００２７】
しかしながら幾つかの特定の非限定実施形態によれば、無線通信ネットワーク１００はＧＥＲＡＮエボリューションおよび／またはＥＧＰＲＳ２内の遅延低減に従い動作するようにする。
【００２８】
制御ノード１４０は例えば基地局コントローラ（ＢＳＣ、Basic Station Controller）でありうる。制御ノード１４０は無線通信ネットワーク１００の管理要素であり、制御ノード１４０に接続する基地局１１０の制御を担う。制御ノード１４０はさらに例えば無線リソース管理；幾つかの移動管理機能を実行することができ、例えば制御ノード１４０の幾つかの可能な機能を示す幾らかの簡単な例を記述すると、基地局１１０から端末１２０、端末１３０へ送信する情報データに関連付けられた変調情報および／またはＵＳＦ値を提供することができる。
【００２９】
端末１２０はさらに無線通信ネットワーク１００内に含む基地局１１０を介して例えば端末１３０のような他端末または図１に示さない他端末と通信することができる。
【００３０】
基地局１１０はさらに端末１２０、端末１３０のアップリンク送信をスケジュールする。特定アップリンクリソースへのアクセスを端末１２０に許可するために、図３に関してさらにより詳細に説明するように、端末１２０または任意の他端末１３０へ送信する任意のダウンリンクデータと共に、アップリンク状態フラグ（ＵＳＦ）値を基地局１１０から端末１２０へ送信する。
【００３１】
ここで使用される用語「ダウンリンク」は、基地局１１０から端末１２０、端末１３０への送信を示し、一方用語「アップリンク」は、端末１２０、端末１３０から基地局１１０への送信を示す。
【００３２】
図３は本方法の幾つかの実施形態によるＵＳＦマッピングを示す概要ブロック図である。情報データ３００は第１のデータブロック３０１および第２のデータブロック３０２を含む。第１のＵＳＦ３１０および第２のＵＳＦ３２０は第１のデータブロック３０１および第２のデータブロック３０２に亘って送信される。ＢＴＴＩＵＳＦモードの第１および第２のＵＳＦ３１０、ＵＳＦ３２０は現標準化プロトコルにより４つの連続ＴＤＭＡフレーム、即ち２０ｍｓにマッピングされる。
【００３３】
本解決手法の基本概念は変調分離を招くことなく、ダウンリンクスケジューラが自由に動作することができるような方法でアップリンクスケジューリングパラメータを準備することである、即ちダウンリンクスケジューラは２つの連続ＲＴＴＩ無線ブロック３０１およびブロック３０２で異なる変調を使用することができる。例えば第１のＲＴＴＩ無線ブロック３０１を第１の端末１２０に送信し、第２のＲＴＴＩ無線ブロック３０２を第２の端末１３０に送信するように、２つの連続ＲＴＴＩ無線ブロック３０１およびブロック３０２を同一端末１２０または異なる端末１２０、端末１３０に送信することができる。
【００３４】
アップリンクスケジューリングに使用し、異なる変調技術により送信する第１のＵＳＦ３１０および第２のＵＳＦ３２０を端末１２０、端末１３０が読み、復号することができるように、新しいＵＳＦコードワードを定義し、標準化することができる。
【００３５】
ＵＳＦコードワード３１０の第１部分をある変調により、第２部分を別の変調により送信することが可能なような方法で、本解決手法によるＵＳＦコードワードを定義する。
【００３６】
このように従って第１のＵＳＦ３１０および第２のＵＳＦ３２０の第１部分を第１のデータブロック３０１に亘って送信し、第１のＵＳＦ３１０および第２のＵＳＦ３２０の第２部分を第２のデータブロック３０２に亘って送信される、ので、各データブロック３０１、３０２並びに第１のＵＳＦ３１０および第２のＵＳＦ３２０の対応部をその瞬間に各ブロックに最も適する変調技術を使用して変調することができる。最も適する変調技術は例えば無線伝搬状態に基づき選択することができる。
【００３７】
本方法によれば、可能な変調技術の例えば次の非網羅的リスト：標準シンボル速度のガウシアン最小シフトキーイング（ＧＭＳＫ）、８位相シフトキーイング（８ＰＳＫ）、１６直交振幅変調（１６ＱＡＭ）および３２直交振幅変調（３２ＱＡＭ）、並びに、高シンボル速度の４位相シフトキーイング（ＱＰＳＫ）、１６直交振幅変調（１６ＱＡＭ）および３２直交振幅変調（３２ＱＡＭ）の全ての可能な組み合わせについて、新しいＵＳＦコードワードを定義する。
【００３８】
ある変調技術が他より強固でありうることを考慮し、ＵＳＦコードワードをさらに幾つかの実施形態に従い構築し、コードの誤り訂正能力を最適化することができる。図４に関してさらに説明するように、幾つかの実施形態に従い現仕様化ＵＳＦコードワードの使用および異なる変調技術の２つのＵＳＦコードワードの半分への適用により、ＵＳＦコードワードを構築することができる。
【００３９】
図４は２つのテーブル、テーブル１およびテーブル２を示す。
【００４０】
テーブル１は現仕様化ＵＳＦコードワードを示す。第１の欄は端末１２０に送信する０と７の間のＵＳＦ値３１０を含む。第２の欄は変調技術ＧＭＳＫによる特定のＵＳＦ値３１０、３２０のＵＳＦコードワードへの符号化法を示す。第３の欄は変調技術８ＰＳＫによりＵＳＦコードワードに符号化する特定のＵＳＦ値３１０、３２０を示す。テーブル１はこのように従来技術解決手法によるこのような変調の実行法を示す。
【００４１】
テーブル２は本方法の実施形態による混合変調コードワードの例を示す。以下のように現仕様化ＵＳＦコードワードの使用により、ＵＳＦコードワードを構築する。
【００４２】
取得するのは、基地局１１０から端末１２０に送信するＵＳＦ値３１０、３２０、０と７の間の数、最初の１０ｍｓのデータブロック３０１で使用する変調技術および第２の１０ｍｓのデータブロック３０２で使用する変調技術である。幾つかの実施形態に従い、列挙するパラメータを制御ノード１４０から取得することができる。
【００４３】
従って第１のデータブロック３０１の変調に使用するのと同じ変調技術、ここではＧＭＳＫにより、ＵＳＦコードワードの第１部分（半分）を変調する。加えて第１のデータブロック３０１の変調、ここではＧＭＳＫに基づき、ＵＳＦコードワードの第１部分の値を選択する。第２のデータブロック３０２の変調に使用する変調技術、ここでは８ＰＳＫにより、ＵＳＦコードワードの第２部分（残りの半分）を変調する。加えて第２のデータブロック３０２の変調、ここでは８ＰＳＫに基づき、ＵＳＦコードワードの第２部分の値を選択する。留意すべきは新しいＵＳＦコードワード構築に関する本発明の概念を単に示すために、変調技術ＧＭＳＫおよび８ＰＳＫの使用をここに記述し、図４に描写することである。しかしながら本解決手法によれば、グループ：標準シンボル速度のＧＭＳＫ、８ＰＳＫ、１６ＱＡＭおよび３２ＱＡＭ；高シンボル速度のＱＰＳＫ、１６ＱＡＭおよび３２ＱＡＭ内の任意の変調技術により変調するＵＳＦコードワードの、第１部分と、上記列挙した変調技術の同一グループ内の任意の他変調技術により変調するＵＳＦコードワードの第２部分との結合により新しいＵＳＦコードワードを構築することができる。
【００４４】
幾つかの実施形態によれば、第１のデータブロック３０１およびＵＳＦコードワードの第１部分（半分）を送信区間の最初の１０ｍｓの間に送信することができ、第２のデータブロック３０２およびＵＳＦコードワードの第２部分（残りの半分）を後続する送信区間の１０ｍｓの間に送信することができる。
【００４５】
受信機側で、端末１２０は、第１の変調技術を使用して第１のデータブロック３０１を、第２の変調技術を使用して第２のデータブロック３０２を復調する。第１の変調技術を使用して第１のＵＳＦ３１０および第２のＵＳＦ３２０の第１部分が復調され、第２の変調技術を使用して第１のＵＳＦ３１０および第２のＵＳＦ３２０の第２部分が復調されるように各部分から、符号化ＵＳＦ３１０およびＵＳＦ３２０に対応する受信情報が抽出される。第１のＵＳＦ３１０および第２のＵＳＦ３２０の２つのそれぞれの復調した部分を追加することにより、第１のＵＳＦ３１０および第２のＵＳＦ３２０を復号することができる。
【００４６】
幾つかのオプションの実施形態に従い、遅延低減および／またはＥＧＰＲＳ２のような関連付けられた特徴のサポートを指示することにより、端末１２０はさらにこの特徴サポートを暗に指示することができる。例えばダウンリンクデータブロック３１０、データブロック３２０を基地局１１０から端末１２０に送信することになる前に、ある利点を伴うこのような指示情報をさらにオプションとして基地局に送信することができる。これにより、基地局１１０は、端末１２０に送信しようとするデータブロック３１０、３２０が同一変調技術を使用して送信されるか、または第２のデータブロック３０２を第１のデータブロック３０１と異なる変調技術を使用して送信されるかに関する情報受信する。
【００４７】
図５は基地局１１０で実行する方法ステップ５０１乃至５１０の実施形態を示すフローチャートである。本方法は端末１２０への情報データ３００の送信を目的とする。基地局１１０および端末１２０は無線通信ネットワーク１００内に含まれる。無線通信ネットワーク１００はさらに制御ノード１４０および／またはさらに端末１３０を含んでもよい。情報データ３００は第１のデータブロック３０１および第２のデータブロック３０２を含む。第１および第２のデータブロック３０１、３０２は同一端末１２０または異なる端末１２０、端末１３０に送信される。
【００４８】
情報データ３００を端末１２０に適するように送信するために、本方法は方法ステップ５０１乃至５１０の幾つかを含むことができる。
【００４９】
しかしながら留意すべきは、説明する方法ステップ５０１乃至５１０の幾つかはオプションであり、幾つかの実施形態内にのみ含むことである。さらに留意すべきは種々の実施形態によれば、方法ステップ５０１乃至５１０は任意の時間順序で実行することができ、そのうちの幾つか、例えばステップ５０１およびステップ５０２または全ての方法ステップ５０１乃至５１０でさえ同時に、または変更し、任意に再配置し、分解しまたは全く完全に逆時間順序で実行することができることである。本方法は次のステップを含むことができる。
【００５０】
ステップ５０１
このステップはオプションであり、幾つかの実施形態内でのみ実行することができる。
【００５１】
幾つかの実施形態によれば、第１のデータブロック３０１と異なる変調技術により変調する第２のデータブロック３０２を、端末１２０が受信することを確認する確認情報を端末１２０から受信することができる。
【００５２】
オプションの確認情報は例えば遅延低減および／またはＥＧＰＲＳ２のサポートおよび／または能力を示してもよい。遅延低減および／またはＥＧＰＲＳ２をサポートする端末１２０、端末１３０によって混合変調ＵＳＦの特徴がサポートされるため、混合変調ＵＳＦをサポートすることを確認することは必ずしも必要ではない。
【００５３】
従って、基地局１１０は、端末１２０に送信しようとするデータブロック３１０、３２０を、同一変調技術を使用して送信されるか、または第２のデータブロック３０２を第１のデータブロック３０１と異なる変調技術を用いて送信されるかに関する情報を受信することができる。
【００５４】
ステップ５０２
第１のデータブロック３０１および第２のデータブロック３０２に亘って送信される第１のＵＳＦ３１０および第２のＵＳＦ３２０を取得する。
【００５５】
幾つかの実施形態によれば、第１のＵＳＦ３１０および第２のＵＳＦ３２０は制御ノード１４０から取得することができる。
【００５６】
ステップ５０３
第１のデータブロック３０１に関連付けられた第１の変調技術情報を取得する。
【００５７】
第１のデータブロック３０１に関連付けられた変調技術は幾つかのオプションの実施形態によれば次の任意の変調技術でありうる：標準シンボル速度のガウシアン最小シフトキーイング（ＧＭＳＫ）、８位相シフトキーイング（８ＰＳＫ）、１６直交振幅変調（１６ＱＡＭ）および３２直交振幅変調（３２ＱＡＭ）、並びに、高シンボル速度の４位相シフトキーイング（ＱＰＳＫ）、１６直交振幅変調（１６ＱＡＭ）および３２直交振幅変調（３２ＱＡＭ）。
【００５８】
第１のデータブロック３０１に関連付けられた変調技術情報は幾つかの実施形態によれば制御ノード１４０から取得することができる。
【００５９】
ステップ５０４
取得した第１の変調技術情報用に、取得した第１および第２のＵＳＦ３１０、３２０の第１部分並びに第１のデータブロック３０１を符号化する。
【００６０】
ステップ５０５
符号化した第１および第２のＵＳＦ３１０、３２０の第１部分並びに第１の符号化データブロック３０１を、取得した第１の変調技術情報に従って変調する。
【００６１】
ステップ５０６
変調した第１および第２のＵＳＦ３１０、３２０の第１部分並びに変調した第１のデータブロック３０１を端末１２０に送信する。
【００６２】
幾つかの実施形態によれば、第１および第２のＵＳＦ３１０、３２０の第１部分と共に、第１のデータブロック３０１は、送信区間の最初の１０ｍｓの間に送信される。
【００６３】
ステップ５０７
第２のデータブロック３０２に関連付けられた第２の変調技術情報を取得する。
【００６４】
第２のデータブロック３０２に関連付けられた変調技術は、幾つかのオプションの実施形態によれば次の任意の変調技術でありうる：標準シンボル速度のＧＭＳＫ、８ＰＳＫ、１６ＱＡＭおよび３２ＱＡＭ、並びに、高シンボル速度のＱＰＳＫ、１６ＱＡＭおよび３２ＱＡＭ。
【００６５】
第２のデータブロック３０２に関連付けられた変調技術情報は幾つかの実施形態によれば制御ノード１４０から取得することができる。
【００６６】
ステップ５０８
第２の取得変調技術情報用に、取得した第１および第２のＵＳＦ３１０、３２０の第２部分並びに第２のデータブロック３０２を符号化する。
【００６７】
ステップ５０９
符号化した第１および第２のＵＳＦ３１０、３２０の第２部分並びに第２の符号化データブロック３０２を取得した第２の変調技術情報に従って変調する。
【００６８】
ステップ５１０
変調した第１および第２のＵＳＦ３１０、３２０の第２部分並びに第２の変調データブロック３０２を端末１２０に送信する。
【００６９】
幾つかの実施形態によれば、第１および第２のＵＳＦ３１０、ＵＳＦ３２０の第２部分と共に、第２のデータブロック３０２は、後続する送信区間の１０ｍｓの間に送信される。
【００７０】
変調した第２のデータブロック３０２は幾つかのオプションの実施形態によれば第１のデータブロック３０１と別の端末１３０に送信することができる。
【００７１】
図６は基地局１１０に設けられる装置６００の実施形態を示すブロック図である。装置６００は情報データ３００を端末１２０に送信する方法ステップ５０１乃至５１０を実行するように構成される。基地局１１０および端末１２０は、無線通信ネットワーク１００内に含まれる。オプションとして、無線通信ネットワーク１００は制御ノード１４０および／またはさらに端末１３０を含むことができる。さらに情報データ３００は第１のデータブロック３０１および第２のデータブロック３０２を含む。第１および第２のデータブロック３０１、３０２を同一端末１２０または異なる端末１２０、端末１３０に送信するようにする。
【００７２】
説明を容易にするため、本方法を実行するのに全く必要でない装置６００のあらゆる内部電子装置を図６から省略した。
【００７３】
装置６００は第１の取得ユニット６０１を含む。取得ユニット６０１が取得するようにするのは、第１のデータブロック３０１および第２のデータブロック３０２に亘って送信されるＵＳＦ値３１０、３２０である。さらに装置６００は第２の取得ユニット６０２を含む。第２の取得ユニット６０２が取得するようにするのは、第１のデータブロック３０１および／または第２のデータブロック３０２に関連付けられた変調技術（情報）である。また装置６００は符号化ユニット６０３を含む。符号化ユニット６０３が符号化するようにするのは、取得した変調技術用に、取得したＵＳＦ値３１０、ＵＳＦ３２０の一部および第１のデータブロック３０１または第２のデータブロック３０２である。さらに、装置６００は変調器ユニット６０４を含む。変調器ユニット６０４が取得した変調技術情報に従い変調するようにするのは、符号化ＵＳＦ値３１０、ＵＳＦ３２０の一部および第１のデータブロック３０１または第２のデータブロック３０２である。さらに、装置６００は送信ユニット６０７を含む。送信ユニット６０７が端末１２０に送信するようにするのは、ＵＳＦ値３１０、ＵＳＦ３２０の変調した部分および変調したデータブロックである。
【００７４】
装置６００は幾つかの実施形態によれば処理ユニット６２０を含むことができる。処理ユニット６２０を表すことができるのは、例えば中央処理ユニット（ＣＰＵ、Central Processing Unit）、プロセッサ、マイクロプロセッサ、または命令を解釈し、実行することができるその他の処理論理による。処理ユニット６２０が実行することができるのは、呼処理制御、ユーザインタフェース制御若しくは同類のようなデータバッファリングおよびデバイス制御機能を包含するデータの入力、出力および処理の全てのデータ処理機能である。
【００７５】
また装置６００はオプションとして送信ユニット６０７および／または受信ユニット６１０を含むことができる。
【００７６】
留意すべきは、装置６００内に含む説明するユニット６０１乃至６２０は個別の論理エンティティと見なしうるが、必ずしも個別の物理エンティティと見なす必要はないことである。ユニット６０１乃至６２０の何れか、幾つかまたは全ては同一物理ユニット内に含む、即ち共通配置することができる。しかしながら装置６００の機能の理解を容易にするために、包含ユニット６０１乃至６２０を個別の物理ユニットとして図６に示す。
【００７７】
幾つかの実施形態によれば、このように送信ユニット６０７および例えば受信ユニット６１０は１つの物理ユニット、通信機内に含むことができ、通信機は送信機回路および受信機回路を含むことができ、通信機はそれぞれ端末１２０、端末１３０への出力無線周波数信号を送信し、オプションアンテナにより端末１２０、端末１３０から入力無線周波数信号を受信する。アンテナは固定アンテナ、取り出し可能アンテナまたは本装置の範囲を逸脱しない任意のその他のアンテナでありうる。基地局１１０と端末１２０、１３０間で伝送する無線周波数信号はトラフィックおよび制御信号、例えば着信呼のページング信号／メッセージを共に含むことができ、トラフィックおよび制御信号を使用しうるのは別の相手との音声呼通信の確立、維持、またはある端末１２０から別のリモート端末１３０へ／からＳＭＳ、電子メール若しくはＭＭＳメッセージのようなデータの送信および／または受信である。
【００７８】
基地局１１０のコンピュータプログラム
本ステップ５０１乃至５１０の機能を実行するコンピュータプログラムと共に基地局１１０の１つまたは複数の処理ユニット６２０により、基地局１１０の方法ステップ５０１乃至５１０を実装することができる。従って基地局１１０の方法ステップ５０１乃至５１０の実行命令を含むコンピュータプログラムは情報データ３００の端末１２０への送信方法を実行することができる。
【００７９】
処理ユニット６２０にロードする場合、本解決手法によれば、方法ステップ５０１乃至５１０を実行するコンピュータプログラムを含むデータ担体の形式で、上記のコンピュータプログラムを例えば提供することができる。データ担体は例えばハードディスク、ＣＤＲＯＭディスク、メモリスティック、光蓄積デバイス、磁気蓄積デバイスまたは機械で読み取り可能なデータを保持することができるディスク若しくはテープのような任意のその他の適する媒体でありうる。コンピュータプログラムはさらに、サーバのコンピュータプログラムとして提供することができ、リモートから例えばインターネットまたはイントラネット接続を経て基地局１１０にダウンロードすることができる。
【００８０】
基地局１１０および端末１２０は無線通信ネットワーク１００内に含まれる。情報データ３００は第１のデータブロック３０１および第２のデータブロック３０２を含む。第１および第２のデータブロック３０１、３０２を同一端末１２０または異なる端末１２０、端末１３０に送信するようにする。コンピュータプログラムが含むのは、第１のデータブロック３０１および第２のデータブロック３０２に亘って送信される、第１のアップリンク状態フラグ３１０および第２のアップリンク状態フラグ３２０の取得命令である。さらにコンピュータプログラムが含むのは、第１のデータブロック３０１に関連付けられた第１の変調技術情報取得命令である。またコンピュータプログラムが含むのは、取得した第１の変調技術情報用に、取得した第１および第２のＵＳＦ３１０、３２０の第１部分並びに第１のデータブロック３０１の符号化命令である。加えてコンピュータプログラムが含むのは、取得した第１の変調技術情報に従って符号化した第１および第２のＵＳＦ３１０、３２０の第１部分並びに符号化した第１のデータブロック３０１の変調命令である。さらに加えてコンピュータプログラムが含むのは、変調した第１および第２のＵＳＦ３１０、３２０の第１部分並びに変調した第１のデータブロック３０１の送信命令である。追加してコンピュータプログラムが含むのは、第２のデータブロック３０２に関連付けられた第２の変調技術情報取得命令である。さらにその上コンピュータプログラムが含むのは、取得した第２の変調技術情報用に、取得した第１および第２のＵＳＦ３１０、３２０の第２部分並びに第２のデータブロック３０２の符号化命令である。またさらにその上コンピュータプログラムが含むのは、取得した第２の変調技術情報に従って符号化した第１および第２のＵＳＦ３１０、３２０の第２部分並びに符号化した第２のデータブロック３０２の変調命令である。なおさらにコンピュータプログラムがまた含むのは、コンピュータプログラムが基地局１１０内に含む処理ユニット６２０上で動作する場合の変調した第１および第２のＵＳＦ３１０、３２０の第２部分並びに変調した第２のデータブロック３０２の追加送信命令である。
【００８１】
図７は端末１２０で実行する方法ステップ７０１乃至７０７の実施形態を示すフローチャートである。本方法は基地局１１０からの情報データ３００の受信を目的とする。基地局１１０および端末１２０は無線通信ネットワーク１００内に含まれる。無線通信ネットワーク１００はさらに制御ノード１４０および／またはさらに端末１３０を含むことができる。情報データ３００は第１のデータブロック３０１および第２のデータブロック３０２を含む。第１および第２のデータブロック３０１、３０２は同一端末１２０または異なる端末１２０、端末１３０に送信するようにする。
【００８２】
情報データ３００を基地局１１０から好適に受信するために、本方法は方法ステップ７０１乃至７０７の幾つかを含むことができる。
【００８３】
しかしながら留意すべきは、説明する方法ステップ７０１乃至７０７の幾つかはオプションであり、幾つかの実施形態内にのみ含むことである。さらに留意すべきは種々の実施形態によれば、方法ステップ７０１乃至７０７は任意の時間順序で実行することができ、そのうちの幾つか、例えばステップ７０１およびステップ７０４または全ての方法ステップ７０１乃至７０７でさえ同時に、または変更し、任意に再配置し、分解しまたは全く完全に逆時間順序で実行することができることである。本方法は次のステップを含むことができる。
【００８４】
ステップ７０１
このステップはオプションであり、幾つかの実施形態内でのみ実行することができる。
【００８５】
第１のデータブロック３０１と異なる変調技術により変調する第２のデータブロック３０２を、端末１２０が受信するようにすることを確認する確認情報を基地局１１０に送信することができる。
【００８６】
幾つかのオプションの実施形態によれば、確認情報は端末１２０が遅延低減および／またはＥＧＰＲＳ２をサポートすることを指示することができる。遅延低減および／またはＥＧＰＲＳ２をサポートする端末１２０、端末１３０により混合変調ＵＳＦの特徴をサポートするため、混合変調ＵＳＦをサポートすることを確認することは必ずしも必要ではない。
【００８７】
ステップ７０２
変調された第１のＵＳＦ３１０および第２のＵＳＦ３２０の第１部分並びに変調された第１のデータブロック３０１を基地局１１０から受信する。
【００８８】
幾つかの実施形態によれば、第１および第２のＵＳＦ３１０、３２０の第１部分と共に、第１のデータブロック３０１を受信区間の最初の１０ｍｓの間に受信することができる。
【００８９】
ステップ７０３
受信した第１および第２のＵＳＦ３１０、３２０の第１部分並びに受信した第１のデータブロック３０１を第１の変調技術情報に従って復調する。
【００９０】
第１のデータブロック３０１に関連付けられた変調技術は、幾つかのオプションの実施形態によれば次の任意の変調技術でありうる：標準シンボル速度のＧＭＳＫ、８ＰＳＫ、１６ＱＡＭおよび３２ＱＡＭ、並びに、高シンボル速度のＱＰＳＫ、１６ＱＡＭおよび３２ＱＡＭ。
【００９１】
ステップ７０４
変調された第１および第２のＵＳＦ３１０、３２０の第２部分並びに変調された第２のデータブロック３０２を基地局１１０から受信する。
【００９２】
幾つかの実施形態によれば、第１および第２のＵＳＦ３１０、３２０の第２部分と共に、第２のデータブロック３０２を後続する受信区間の１０ｍｓの間に受信することができる。
【００９３】
ステップ７０５
受信した第１および第２のＵＳＦ３１０、３２０の第２部分並びに受信した第２のデータブロック３０２を第２の変調技術情報に従って復調する。
【００９４】
第２のデータブロック３０２に関連付けられた変調技術は、幾つかのオプションの実施形態によれば次の任意の変調技術でありうる：標準シンボル速度のＧＭＳＫ、８ＰＳＫ、１６ＱＡＭおよび３２ＱＡＭ、並びに、高シンボル速度のＱＰＳＫ、１６ＱＡＭおよび３２ＱＡＭ。
【００９５】
ステップ７０６
復調した第２のデータブロック３０２を復調した第１のデータブロック３０１へ追加することにより情報データを抽出する。
【００９６】
ステップ７０７
抽出した情報データ３００を復号する。
【００９７】
図８は端末１２０に設けられる装置８００の実施形態を示すブロック図である。装置８００は情報データ３００を基地局１１０から受信する方法ステップ７０１乃至７０７を実行するように構成される。基地局１１０および端末１２０は無線通信ネットワーク１００内に含まれる。オプションとして、無線通信ネットワーク１００は制御ノード１４０および／またはさらに端末１３０を含むことができる。さらに情報データ３００は第１のデータブロック３０１および第２のデータブロック３０２を含む。第１および第２のデータブロック３０１、３０２を同一端末１２０または異なる端末１２０、端末１３０に送信するようにする。
【００９８】
説明を容易にするため、本方法を実行するのに全く必要でない装置８００のあらゆる内部電子装置を図８から省略した。
【００９９】
装置８００は受信ユニット８０１を含む。受信ユニット８０１は第１のアップリンク状態フラグ３１０および第２のアップリンク状態フラグ３２０部分分および変調されたデータブロック３０１、３０２を基地局１１０から受信する。さらに装置８００は復調ユニット８０２を含む。復調ユニット８０２は受信した第１および第２のＵＳＦ３１０、３２０の部分および受信したデータブロック３０１、３０２を復調する。また装置８００は抽出ユニット８０４を含む。復調したデータブロック３０２を別の復調したデータブロック３０１へ追加することにより、抽出ユニット８０４は情報データを抽出する。さらに、装置８００は復号ユニット８０５を含む。復号ユニット８０５は抽出情報データ３００を復号する。
【０１００】
装置８００は幾つかの実施形態によれば処理ユニット８２０を含むことができる。処理ユニット８２０を表すことができるのは、例えばＣＰＵ、プロセッサ、マイクロプロセッサ、または命令を解釈し、実行することができるその他の処理論理による。処理ユニット８２０が実行することができるのは、呼処理制御、ユーザインタフェース制御若しくは同類のようなデータバッファリングおよびデバイス制御機能を包含するデータの入力、出力および処理の全てのデータ処理機能である。
【０１０１】
また、装置８００はオプションとして送信ユニット８１０および／または受信ユニット８０１を含むことができる。
【０１０２】
留意すべきは、装置８００内に含む説明するユニット８０１乃至８２０は個別の論理エンティティと見なしうるが、個別の物理エンティティと見なす必要はないことである。ユニット８０１乃至８２０の何れか、幾つかまたは全ては同一物理ユニット内に含む、即ち共通配置することができる。しかしながら装置８００の機能の理解を容易にするために、包含ユニット８０１乃至８２０を個別の物理ユニットとして図８に示す。
【０１０３】
幾つかの実施形態によれば、このように受信ユニット８０１および例えば送信ユニット８１０は１つの物理ユニット、通信機内に含むことができ、通信機は送信機回路および受信機回路を含むことができ、通信機はそれぞれ基地局１１０への出力無線周波数信号を送信し、オプションアンテナにより基地局１１０から入力無線周波数信号を受信する。アンテナは固定アンテナ、取り出し可能アンテナまたは本装置の範囲を逸脱しないその他の任意のアンテナでありうる。基地局１１０と端末１２０、１３０間で伝送する無線周波数信号はトラフィックおよび制御信号、例えば着信呼のページング信号／メッセージを共に含むことができ、トラフィックおよび制御信号を使用しうるのは別の相手との音声呼通信の確立、維持、またはある端末１２０から別のリモート端末１３０へ／からＳＭＳ、電子メール若しくはＭＭＳメッセージのようなデータの送信および／または受信である。
【０１０４】
端末１２０のコンピュータプログラム
本ステップ７０１乃至７０７の機能を実行するコンピュータプログラムと共に端末１２０の１つまたは複数の処理ユニット８２０により、端末１２０の方法ステップ７０１乃至７０７を実装することができる。従って端末１２０の方法ステップ７０１乃至７０７の実行命令を含むコンピュータプログラムは情報データ３００を基地局１１０から受信することができる。
【０１０５】
処理ユニット８２０にロードする場合本解決手法によれば、方法ステップを実行するコンピュータプログラムを含むデータ担体の形式で、上記のコンピュータプログラムを例えば提供することができる。データ担体は例えばハードディスク、ＣＤＲＯＭディスク、メモリスティック、光蓄積デバイス、磁気蓄積デバイスまたは機械で読み取り可能なデータを保持することができるディスク若しくはテープのような任意のその他の適する媒体でありうる。コンピュータプログラムはさらにその上、サーバのコンピュータプログラムとして提供することができ、リモートから例えばインターネットまたはイントラネット接続を経て端末１２０にダウンロードすることができる。
【０１０６】
基地局１１０および端末１２０は無線通信ネットワーク１００内に含まれる。情報データ３００は第１のデータブロック３０１および第２のデータブロック３０２を含む。第１および第２のデータブロック３０１、３０２を同一端末１２０または異なる端末１２０、端末１３０に送信する。コンピュータプログラムが含むのは、変調された第１および第２のＵＳＦ３１０、３２０の第１部分並びに変調された第１のデータブロック３０１の基地局１１０からの受信命令である。またコンピュータプログラムが含むのは、第１の変調技術情報に従って受信した第１および第２のＵＳＦ３１０、３２０の第１部分並びに受信した第１のデータブロック３０１の復調命令である。さらにコンピュータプログラムがまた含むのは、変調された第１および第２のＵＳＦ３１０、３２０の第２部分並びに変調された第２のデータブロック３０２の基地局１１０からの受信命令である。追加してコンピュータプログラムがまた含むのは、第２の変調技術情報に従って受信した第１および第２のＵＳＦ３１０、３２０の第２部分並びに受信した第２のデータブロック３０２のさらなる復調命令である。さらにその上コンピュータプログラムが加えてまた含むのは、復調した第２のデータブロック３０２を復調した第１のデータブロック３０１への追加することによる情報データの抽出命令である。なおさらにコンピュータプログラムが含むのは、コンピュータプログラムが端末１２０内に含む処理ユニット８２０上で動作する場合の抽出情報データ３００の追加復号命令である。
【０１０７】
図９は制御ノード１４０で実行する方法ステップ９０１乃至９０２の実施形態を示すフローチャートである。本方法は情報データ３００の端末１２０への送信における基地局１１０のサポートを目的とする。制御ノード１４０、基地局１１０および端末１２０は無線通信ネットワーク１００内に含まれる。無線通信ネットワーク１００はさらに制御ノード１４０および／またはさらに端末１３０を含むことができる。情報データ３００は第１のデータブロック３０１および第２のデータブロック３０２を含む。第１および第２のデータブロック３０１、３０２は同一端末１２０または異なる端末１２０、端末１３０に送信するようにする。
【０１０８】
情報データ３００の端末１２０への送信において基地局１１０を適するようにサポートするために、本方法は方法ステップ９０１乃至９０２の幾つかを含むことができる。
【０１０９】
しかしながら留意すべきは種々の実施形態によれば、方法ステップ９０１乃至９０２は任意の時間順序で実行することができ、そのうちの幾つか、例えばステップ９０１およびステップ９０２または全て２つの方法ステップ９０１乃至９０２でさえ同時に、または変更し、任意に再配置し、分解しまたは全く完全に逆時間順序で実行することができることである。本方法は次のステップを含むことができる。
【０１１０】
ステップ９０１
基地局１１０から端末１２０に送信する第１のデータブロック３０２および／または第２のデータブロック３０２に関連付けられた変調情報を提供する。
【０１１１】
ステップ９０２
基地局１１０から端末１２０に送信する第１のデータブロック３０２および／または第２のデータブロック３０２に関連付けられた第１および第２のＵＳＦ値３１０、３２０を提供する。
【０１１２】
図１０は制御ノード１４０に設けられる装置１０００の実施形態を示すブロック図である。装置１０００は情報データ３００の端末１２０への送信において基地局１１０をサポートする方法ステップ９０１乃至９０２を実行するように構成される。制御ノード１４０、基地局１１０および端末１２０は無線通信ネットワーク１００内に含まれる。情報データ３００は第１のデータブロック３０１および第２のデータブロック３０２を含む。
【０１１３】
説明を容易にするため、本方法を実行するのに全く必要でない装置１０００のあらゆる内部電子装置を図１０から省略した。
【０１１４】
装置１０００は第１の提供ユニット１００１を含む。第１の提供ユニット１００１は基地局１１０から端末１２０に送信する第１のデータブロック３０１および／または第２のデータブロック３０２に関連付けられた変調情報を提供する。さらに装置１０００は第２の提供ユニット１００２を含む。第２の提供ユニット１００２は基地局１１０から端末１２０に送信する第１のデータブロック３０１および／または第２のデータブロック３０２に関連付けられたＵＳＦ値３１０を提供する。第１および第２のＵＳＦ値３１０、３２０を第１のデータブロック３０１および第２のデータブロック３０２と共に変調する。また第１のデータブロック３０１および第２のデータブロック３０２は同一の端末１２０に送信する必要はない。
【０１１５】
装置１０００は幾つかの実施形態によれば処理ユニット１０２０を含むことができる。処理ユニット１０２０を表すことができるのは、例えばＣＰＵ、プロセッサ、マイクロプロセッサ、または命令を解釈し、実行することができるその他の処理論理による。処理ユニット１０２０が実行することができるのは、呼処理制御、ユーザインタフェース制御若しくは同類のようなデータバッファリングおよびデバイス制御機能を包含するデータの入力、出力および処理の全てのデータ処理機能である。
【０１１６】
制御ノード１４０のコンピュータプログラム
本ステップ９０１乃至９０２の機能を実行するコンピュータプログラムと共に制御ノード１４０の１つまたは複数の処理ユニット１０２０により、制御ノード１４０の方法ステップ９０１乃至９０２を実装することができる。従って制御ノード１４０の方法ステップ９０１乃至９０２の実行命令を含むコンピュータプログラムは情報データ３００の端末１２０への送信において基地局１１０をサポートする方法を実行することができる。
【０１１７】
処理ユニット１０２０にロードする場合本解決手法によれば、方法ステップ９０１乃至９０２を実行するコンピュータプログラムを含むデータ担体の形式で、上記のコンピュータプログラムを例えば提供することができる。データ担体は例えばハードディスク、ＣＤＲＯＭディスク、メモリスティック、光蓄積デバイス、磁気蓄積デバイスまたは機械で読み取り可能なデータを保持することができるディスク若しくはテープのような任意のその他の適する媒体でありうる。コンピュータプログラムはさらにその上、サーバのコンピュータプログラムとして提供することができ、リモートから例えばインターネットまたはイントラネット接続を経て制御ノード１４０にダウンロードすることができる。
【０１１８】
基地局１１０および端末１２０は無線通信ネットワーク１００内に含まれる。情報データ３００は第１のデータブロック３０１および第２のデータブロック３０２を含む。第１および第２のデータブロック３０１、３０２は同一端末１２０または異なる端末１２０、端末１３０に送信される。コンピュータプログラムが含むのは、基地局１１０から端末１２０に送信する第１のデータブロック３０１および／または第２のデータブロック３０２に関連付けられた変調情報の提供命令である。またコンピュータプログラムがさらに含むのは、コンピュータプログラムが制御ノード１４０内に含む処理ユニット１０２０上で動作する場合に基地局１１０から端末１２０に送信する第１のデータブロック３０１および／または第２のデータブロック３０２に関連付けられた第１および第２のＵＳＦ３１０、３２０の提供命令である。第１および第２のＵＳＦ３１０、３２０は第１のデータブロック３０１および第２のデータブロック３０２と共に変調される。また第１のデータブロック３０１および第２のデータブロック３０２は同一端末１２０を指定する必要はない。
【０１１９】
添付する図面に示す特定の例示実施形態の詳細な説明に使用する用語は本発明を限定すると考えない。
【０１２０】
本明細書で使用するように、別途明確に記述しない限り単数形「不定冠詞（a）」、「不定冠詞（an）」および「定冠詞」は複数形をも包含すると考える。さらに理解されるであろうことは、この明細書で使用する場合用語「包含する」、「含む」、「包含している」および／または「含んでいる」は記述する特徴、整数、ステップ、動作、要素および／または構成要素の存在を明記するが、１つまたは複数の他の特徴、整数、ステップ、動作、要素、構成要素および／または以上のグループの存在若しくは追加を排除しないことである。理解されるであろうことは、要素を別の要素に「接続する」または「結合する」として参照する場合、要素は他の要素に直接接続するか、または結合することができるか、若しくは介在する要素が存在しうることである。さらにその上本明細書で使用するように、「接続する」または「結合する」は無線で接続するかまたは結合することを包含しうる。本明細書で使用するように、用語「および／または」は１つまたは複数の関連し、リストする項目の任意のおよび全ての組み合わせを包含する。
【図１】
2011512095.tif 000003
【図２】
2011512095.tif 000004
【図３】
2011512095.tif 000005
【図４】
2011512095.tif 000006
【図５】
2011512095.tif 000007
【図６】
2011512095.tif 000008
【図７】
2011512095.tif 000009
【図８】
2011512095.tif 000010
【図９】
2011512095.tif 000011
【図１０】
2011512095.tif 000012
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
基地局（１１０）と端末（１２０）と制御ノード（１４０）とを含む無線通信ネットワーク（１００）において、同一の端末（１２０）又は異なる端末（１２０，１３０）に送信される第１のデータブロック（３０１）と第２のデータブロック（３０２）とを含む情報データ（３００）を前記端末（１２０）に送信する前記基地局（１１０）の方法であって、
前記第１のデータブロック（３０１）と前記第２のデータブロック（３０２）とに亘って送信される、第１のアクセス許可パラメータ（アップリンク状態フラグ（ＵＳＦ）値）（３１０）と第２のアクセス許可パラメータ（ＵＳＦ値）（３２０）とを取得するステップ（５０２）と、
前記第１のデータブロック（３０１）に関連付けられた第１の変調技術情報を取得するステップ（５０３）と、
取得した前記第１の変調技術情報用に、取得した前記第１及び第２のＵＳＦ値（３１０，３２０）の第１部分と前記第１のデータブロック（３０１）とを符号化するステップ（５０４）と、
取得した前記第１の変調技術情報に従って、符号化した前記第１及び第２のＵＳＦ値（３１０，３２０）の第１部分と前記第１のデータブロック（３０１）とを変調するステップ（５０５）と、
変調した前記第１及び第２のＵＳＦ値（３１０，３２０）の第１部分と前記第１のデータブロック（３０１）とを送信するステップ（５０６）と、
前記第２のデータブロック（３０２）に関連付けられた第２の変調技術情報を取得するステップ（５０７）と、
取得した前記第２の変調技術情報用に、取得した前記第１及び第２のＵＳＦ値（３１０，３２０）の第２部分と前記第２のデータブロック（３０２）とを符号化するステップ（５０８）と、
取得した前記第２の変調技術情報に従って、符号化した前記第１及び第２のＵＳＦ値（３１０，３２０）の第２部分と前記第２のデータブロック（３０２）とを変調するステップ（５０９）と、
変調した前記第１及び第２のＵＳＦ値（３１０，３２０）の第２部分と前記第２のデータブロック（３０２）とを送信するステップ（５１０）と
を含むことを特徴とする方法。
【請求項２】
前記第１のデータブロック（３０１）は、前記第１及び第２のＵＳＦ値（３１０，３２０）の第１部分とともに、送信区間の最初の１０ｍｓの間に送信され、
前記第２のデータブロック（３０２）は、前記第１及び第２のＵＳＦ値（３１０，３２０）の第２部分とともに、送信区間の最初の１０ｍｓに後続する１０ｍｓの間に送信されることを特徴とする請求項１に記載の方法。
【請求項３】
前記第１のデータブロック（３０１）及び前記第２のデータブロック（３０２）の少なくとも一方に関連付けられた前記変調技術情報は、標準シンボル速度のガウシアン最小シフトキーイング（ＧＭＳＫ）、８位相シフトキーイング（８ＰＳＫ）、１６直交振幅変調（１６ＱＡＭ）および３２直交振幅変調（３２ＱＡＭ）、並びに、高シンボル速度の４位相シフトキーイング（ＱＰＳＫ）、１６直交振幅変調（１６ＱＡＭ）および３２直交振幅変調（３２ＱＡＭ）の何れかの変調技術情報であることを特徴とする請求項１又は２に記載の方法。
【請求項４】
前記第１のデータブロック（３０１）及び前記第２のデータブロック（３０２）の少なくとも一方と、前記第１及び第２のＵＳＦ値（３１０，３２０）と関連付けられた前記変調技術情報は、前記制御ノード（１４０）から取得されることを特徴とする請求項１乃至３の何れか１項に記載の方法。
【請求項５】
前記端末（１２０）が前記第１のデータブロック（３０１）とは異なる変調技術で変調された前記第２のデータブロック（３０２）を受信することを示す確認情報を該端末（１２０）から受信するステップ（５０１）をさらに含むことを特徴とする請求項１乃至４の何れか１項に記載の方法。
【請求項６】
基地局（１１０）と端末（１２０）と制御ノード（１４０）とを含む無線通信ネットワーク（１００）において、同一の端末（１２０）又は異なる端末（１２０，１３０）に送信される第１のデータブロック（３０１）と第２のデータブロック（３０２）とを含む情報データ（３００）を前記端末（１２０）に送信する前記基地局（１１０）の装置（６００）であって、
前記第１のデータブロック（３０１）と前記第２のデータブロック（３０２）とに亘って送信される、第１のアクセス許可パラメータ（アップリンク状態フラグ（ＵＳＦ）値）（３１０）と第２のアクセス許可パラメータ（ＵＳＦ値）（３２０）とを取得する第１の取得ユニット（６０１）と、
前記第１のデータブロック（３０１）に関連付けられた第１の変調技術情報を取得し、かつ、前記第２のデータブロック（３０２）に関連付けられた第２の変調技術情報を取得する第２の取得ユニット（６０２）と、
取得した前記第１の変調技術情報用に、取得した前記第１及び第２のＵＳＦ値（３１０，３２０）の第１部分と、前記第１のデータブロック（３０１）とを符号化し、かつ、取得した前記第２の変調技術情報用に、取得した前記第１及び第２のＵＳＦ値（３１０，３２０）の第２部分と、前記第２のデータブロック（３０２）とを符号化する符号化ユニット（６０３）と、
取得した前記第１の変調技術情報に従って、符号化した前記第１及び第２のＵＳＦ値（３１０，３２０）の第１部分と、前記第１のデータブロック（３０１）とを変調し、かつ、取得した前記第２の変調技術情報に従って、符号化した前記第１及び第２のＵＳＦ値（３１０，３２０）の第２部分と、前記第２のデータブロック（３０２）とを変調する変調ユニット（６０４）と、
変調した前記第１及び第２のＵＳＦ値（３１０，３２０）の第１部分と、変調した前記第１のデータブロック（３０１）とを送信し、かつ、変調した前記第１及び第２のＵＳＦ値（３１０，３２０）の第２部分と、変調した前記第２のデータブロック（３０２）とを送信する送信ユニット（６０７）と
を備えることを特徴とする装置。
【請求項７】
基地局（１１０）と端末（１２０）と制御ノード（１４０）とを含む無線通信ネットワーク（１００）において、同一の端末（１２０）又は異なる端末（１２０，１３０）に送信される第１のデータブロック（３０１）と第２のデータブロック（３０２）とを含む情報データ（３００）を前記端末（１２０）に送信する前記基地局（１１０）の方法を実行するための命令を含む、コンピュータで読み取り可能なコンピュータプログラムであって、
前記第１のデータブロック（３０１）と前記第２のデータブロック（３０２）とに亘って送信される、第１のアクセス許可パラメータ（アップリンク状態フラグ（ＵＳＦ）値）（３１０）と第２のアクセス許可パラメータ（ＵＳＦ値）（３２０）とを取得するステップと、
前記第１のデータブロック（３０１）に関連付けられた第１の変調技術情報を取得するステップと、
取得した前記第１の変調技術情報用に、取得した前記第１及び第２のＵＳＦ値（３１０，３２０）の第１部分と前記第１のデータブロック（３０１）とを符号化するステップと、
取得した前記第１の変調技術情報に従って、符号化した前記第１及び第２のＵＳＦ値（３１０，３２０）の第１部分と前記第１のデータブロック（３０１）とを変調するステップと、
変調した前記第１及び第２のＵＳＦ値（３１０，３２０）の第１部分と前記第１のデータブロック（３０１）とを送信するステップと、
前記第２のデータブロック（３０２）に関連付けられた第２の変調技術情報を取得するステップ（５０７）と、
取得した前記第２の変調技術情報用に、取得した前記第１及び第２のＵＳＦ値（３１０，３２０）の第２部分と前記第２のデータブロック（３０２）とを符号化するステップと、
取得した前記第２の変調技術情報に従って、符号化した前記第１及び第２のＵＳＦ値（３１０，３２０）の第２部分と前記第２のデータブロック（３０２）とを変調するステップと、
変調した前記第１及び第２のＵＳＦ値（３１０，３２０）の第２部分と前記第２のデータブロック（３０２）とを送信するステップと
を含み、前記基地局（１１０）に設けられた処理ユニット（６２０）で実行されることを特徴とするコンピュータプログラム。
【請求項８】
基地局（１１０）と端末（１２０）とを含む無線通信ネットワーク（１００）において、第１のデータブロック（３０１）と第２のデータブロック（３０２）とを含む情報データ（３００）を前記基地局（１１０）から受信する前記端末（１２０）の方法であって、
変調された第１のアクセス許可パラメータ（アップリンク状態フラグ（ＵＳＦ）値）（３１０）及び第２のアクセス許可パラメータ（ＵＳＦ値）（３２０））の第１部分と変調された前記第１のデータブロック（３０１）とを前記基地局（１１０）から受信するステップ（７０２）と、
第１の変調技術情報に従って、受信した前記第１及び第２のＵＳＦ値（３１０，３２０）の第１部分と受信した前記第１のデータブロック（３０１）とを復調するステップ（７０３）と、
変調された前記第１及び第２のＵＳＦ値（３１０，３２０）の第２部分と変調された前記第２のデータブロック（３０２）とを前記基地局（１１０）から受信するステップ（７０４）と、
第２の変調技術情報に従って、受信した前記第１及び第２のＵＳＦ値（３１０，３２０）の第２部分と受信した前記第２のデータブロック（３０２）とを復調するステップ（７０５）と、
復調した前記第１のＵＳＦ値（３１０）の第２部分を復調した前記第１のＵＳＦ値（３１０）の第１部分に追加することによって、符号化された前記第１のＵＳＦ値（３１０）に対応する受信情報を抽出し、かつ、復調した前記第２のＵＳＦ値（３２０）の第２部分を復調した前記第２のＵＳＦ値（３２０）の第１部分に追加することによって、符号化された前記第２のＵＳＦ値（３２０）に対応する受信情報を抽出するステップ（７０６）と、
前記第１の変調技術情報に従って、前記第１のデータブロック（３０１）と前記第１及び第２のＵＳＦ値（３１０，３２０）の第１部分とを復号化し、かつ、前記第２の変調技術情報に従って、前記第２のデータブロック（３０２）と前記第１及び第２のＵＳＦ値（３１０，３２０）の第２部分とを復号化することによって、抽出した前記情報データ（３００）を復号化するステップ（７０７）と
を含むことを特徴とする方法。
【請求項９】
前記第１のデータブロック（３０１）は、前記第１及び第２のＵＳＦ値（３１０，３２０）の第１部分とともに、受信区間の最初の１０ｍｓの間に受信され、
前記第２のデータブロック（３０２）は、前記第１及び第２のＵＳＦ値（３１０，３２０）の第２部分とともに、受信区間の最初の１０ｍｓに後続する１０ｍｓの間に受信されることを特徴とする請求項８に記載の方法。
【請求項１０】
前記第１のデータブロック（３０１）及び前記第２のデータブロック（３０２）の少なくとも一方に関連付けられた前記変調技術情報は、標準シンボル速度のガウシアン最小シフトキーイング（ＧＭＳＫ）、８位相シフトキーイング（８ＰＳＫ）、１６直交振幅変調（１６ＱＡＭ）および３２直交振幅変調（３２ＱＡＭ）、並びに、高シンボル速度の４位相シフトキーイング（ＱＰＳＫ）、１６直交振幅変調（１６ＱＡＭ）および３２直交振幅変調（３２ＱＡＭ）の何れかの変調技術情報であることを特徴とする請求項８又は９に記載の方法。
【請求項１１】
前記端末（１２０）が前記第１のデータブロック（３０１）とは異なる変調技術で変調された前記第２のデータブロック（３０２）を受信することを示す確認情報を前記基地局（１１０）へ送信するステップ（７０１）をさらに含むことを特徴とする請求項８乃至１０の何れか１項に記載の方法。
【請求項１２】
基地局（１１０）と端末（１２０）とを含む無線通信ネットワーク（１００）において、第１のデータブロック（３０１）と第２のデータブロック（３０２）とを含む情報データ（３００）を前記基地局（１１０）から受信する前記端末（１２０）の装置（８００）であって、
変調された第１のアクセス許可パラメータ（アップリンク状態フラグ（ＵＳＦ）値）（３１０）及び第２のアクセス許可パラメータ（ＵＳＦ値）（３２０））の第１部分と変調された前記第１のデータブロック（３０１）とを前記基地局（１１０）から受信し、かつ、変調された第１のＵＳＦ値（３１０）及び第２のＵＳＦ値（３２０）の第２部分と変調された前記第２のデータブロック（３０２）とを前記基地局（１１０）から受信する受信ユニット（８０１）と、
受信した前記第１及び第２のＵＳＦ値（３１０，３２０）の第１部分と受信した前記第１のデータブロック（３０１）とを復調し、かつ、受信した前記第１及び第２のＵＳＦ値（３１０，３２０）の第２部分と受信した前記第２のデータブロック（３０２）とを復調する復調ユニット（８０２）と、
復調した前記データブロック（３０２）を復調した前記データブロック（３０１）に追加することによって、前記情報データ（３００）を抽出する抽出ユニット（８０５）と、
前記第１の変調技術情報に従って前記第１のデータブロック（３０１）を復号化し、かつ、前記第２の変調技術情報に従って前記第２のデータブロック（３０２）を復号化することによって、抽出した前記情報データ（３００）を復号化する復号化ユニット（８０６）と
を備えることを特徴とする装置。
【請求項１３】
基地局（１１０）と端末（１２０）とを含む無線通信ネットワーク（１００）において、第１のデータブロック（３０１）と第２のデータブロック（３０２）とを含む情報データ（３００）を前記基地局（１１０）から受信する前記端末（１２０）の方法を実行するための命令を含む、コンピュータで読み取り可能なコンピュータプログラムであって、
変調された第１のアクセス許可パラメータ（アップリンク状態フラグ（ＵＳＦ）値）（３１０）及び第２のアクセス許可パラメータ（ＵＳＦ値）（３２０））の第１部分と変調された前記第１のデータブロック（３０１）とを前記基地局（１１０）から受信するステップと、
第１の変調技術情報に従って、受信した前記第１及び第２のＵＳＦ値（３１０，３２０）の第１部分と受信した前記第１のデータブロック（３０１）とを復調するステップと、
変調された前記第１及び第２のＵＳＦ値（３１０，３２０）の第２部分と変調された前記第２のデータブロック（３０２）とを前記基地局（１１０）から受信するステップと、
第２の変調技術情報に従って、受信した前記第１及び第２のＵＳＦ値（３１０，３２０）の第２部分と受信した前記第２のデータブロック（３０２）とを復調するステップと、
復調した前記第２のデータブロック（３０２）を復調した前記第１のデータブロック（３０１）に追加することによって、前記情報データ（３００）を抽出するステップと、
前記第１の変調技術情報に従って前記第１のデータブロック（３０１）を復号化し、かつ、前記第２の変調技術情報に従って前記第２のデータブロック（３０２）を復号化することによって、抽出した前記情報データ（３００）を復号化するステップと
を含み、前記端末（１２０）に設けられた処理ユニット（８２０）で実行されることを特徴とするコンピュータプログラム。
【請求項１４】
制御ノード（１４０）と基地局（１１０）と端末（１２０）とを含む無線通信ネットワーク（１００）において、第１のデータブロック（３０１）と第２のデータブロック（３０２）とを含む情報データ（３００）を前記端末（１２０）へ送信する前記基地局（１１０）をサポートする前記制御ノード（１４０）の方法であって、
前記基地局（１１０）から前記端末（１２０）へ送信される、前記第１のデータブロック（３０１）に関連付けられた第１の変調情報を提供し、かつ、前記基地局（１１０）から前記端末（１２０）へ送信される、前記第２のデータブロック（３０２）に関連付けられた第２の変調情報を提供するステップ（９０１）と、
前記基地局（１１０）から前記端末（１２０）へ送信される、前記第１のデータブロック（３０１）及び前記第２のデータブロック（３０２）の少なくとも一方に関連付けられた第１のアクセス許可パラメータ（アップリンク状態フラグ（ＵＳＦ）値）（３１０）と第２のアクセス許可パラメータ（ＵＳＦ値）（３２０）とを提供するステップ（９０２）と
を含むことを特徴とする方法。
【請求項１５】
制御ノード（１４０）と基地局（１１０）と端末（１２０）とを含む無線通信ネットワーク（１００）において、第１のデータブロック（３０１）と第２のデータブロック（３０２）とを含む情報データ（３００）を前記端末（１２０）へ送信する前記基地局（１１０）をサポートする前記制御ノード（１４０）の装置（１０００）であって、
前記基地局（１１０）から前記端末（１２０）へ送信される、前記第１のデータブロック（３０１）に関連付けられた第１の変調情報を提供し、かつ、前記基地局（１１０）から前記端末（１２０）へ送信される、前記第２のデータブロック（３０２）に関連付けられた第２の変調情報を提供する第１の提供ユニット（１００１）と、
前記基地局（１１０）から前記端末（１２０）へ送信される、前記第１のデータブロック（３０１）及び前記第２のデータブロック（３０２）の少なくとも一方に関連付けられた第１のアクセス許可パラメータ（アップリンク状態フラグ（ＵＳＦ）値）（３１０）と第２のアクセス許可パラメータ（ＵＳＦ値）（３２０）とを提供する第２の提供ユニット（１００２）と
を備えることを特徴とする装置。
【請求項１６】
制御ノード（１４０）と基地局（１１０）と端末（１２０）とを含む無線通信ネットワーク（１００）において、第１のデータブロック（３０１）と第２のデータブロック（３０２）とを含む情報データ（３００）を前記端末（１２０）へ送信する前記基地局（１１０）をサポートする前記制御ノード（１４０）の方法実行するための命令を含む、コンピュータで読み取り可能なコンピュータプログラムであって、
前記基地局（１１０）から前記端末（１２０）へ送信される、前記第１のデータブロック（３０１）に関連付けられた第１の変調情報を提供し、かつ、前記基地局（１１０）から前記端末（１２０）へ送信される、前記第２のデータブロック（３０２）に関連付けられた第２の変調情報を提供するステップ（９０１）と、
前記基地局（１１０）から前記端末（１２０）へ送信される、前記第１のデータブロック（３０１）及び前記第２のデータブロック（３０２）の少なくとも一方に関連付けられた第１のアクセス許可パラメータ（アップリンク状態フラグ（ＵＳＦ）値）（３１０）と第２のアクセス許可パラメータ（ＵＳＦ値）（３２０）とを提供するステップ（９０２）と
を含み、前記端末（１４０）に設けられた処理ユニット（１０２０）で実行されることを特徴とするコンピュータプログラム。
【国際調査報告】
2011512095.tif 000013
2011512095.tif 000014